(57)【要約】【課題】患者及び介護者の双方にとって、利便性が高く、安定な構造であると共に、患者等の入浴者の保温やプライバシーの保護に最適な簡易浴槽装置を提供する。【解決手段】排水部５を有する底部３の周縁に、空気を充填することで膨出状態となる周壁部２が設けられた浴槽体６と、この浴槽体６内に配され臥位状態の入浴者15を包み込んで包持し得る大きさにして遮水性を有するシート体８とから成る。【選択図】図１
2012010982.tif 000002
【特許請求の範囲】
【請求項１】
排水部を有する底部の周縁に、空気を充填することで膨出状態となる周壁部が設けられた浴槽体と、この浴槽体内に配され臥位状態の入浴者を包み込んで包持し得る大きさにして遮水性を有するシート体とから成ることを特徴とする簡易浴槽装置。
【請求項２】
請求項１記載の簡易浴槽装置において、前記周壁部内の空気は、排出可能であり、前記周壁部は空気充填により膨出し、空気排出により収縮するものであることを特徴とする簡易浴槽装置。
【請求項３】
請求項１，２いずれか１項に記載の簡易浴槽装置において、前記シート体には、前記浴槽体の排水部と連結する排水穴部が設けられていることを特徴とする簡易浴槽装置。
【請求項４】
請求項１〜３いずれか１項に記載の簡易浴槽装置において、前記シート体は可撓性を有すると共に遮水性を有する主材の上面に、滑性及び撥水性を有する素材が塗布若しく貼付加工されて滑性撥水面が形成されていることを特徴とする簡易浴槽装置。
【請求項５】
請求項１〜４いずれか１項に記載の簡易浴槽装置において、前記浴槽体の端部には、臥位状態の入浴者の頭部若しくは上半身を載置保持する保持部が設けられていることを特徴とする簡易浴槽装置。
【請求項６】
請求項１〜５いずれか１項に記載の記載の簡易浴槽装置において、前記排水部は、臥位状態の入浴者の足側位置に設けられていることを特徴とする簡易浴槽装置。
【請求項７】
請求項１〜６いずれか１項に記載の簡易浴槽装置において、前記周壁部は、互いに連通した空気充填部が高さ方向に２段以上設けられたものであることを特徴とする簡易浴槽装置。
【請求項８】
請求項１〜７いずれか１項に記載の簡易浴槽装置において、前記空気充填部の内部にはスポンジ状のシートが配設されていることを特徴とする簡易浴槽装置。
【発明の詳細な説明】
【技術分野】
【０００１】
本発明は、病院、介護施設、在宅において介護を要する人を入浴させる際の簡易浴槽装置に関するものである。
【背景技術】
【０００２】
近年、例えば、寝たきり患者や介護者の負担を軽減するため、患者の生活空間であるベッドや蒲団の上で入浴できるように、空気充填された周壁部を有する簡易浴槽装置が提案されている（以下、従来例という。）。
【先行技術文献】
【特許文献】
【０００３】
【特許文献１】特開平６−２９２６９６号公報
【特許文献２】特開２００６−１５８４３０号公報
【発明の概要】
【発明が解決しようとする課題】
【０００４】
しかしながら、これらの従来例は、周壁部が複雑な形状であるため、使用した後、付着した汚水の洗浄や水分の除去のための拭き取りに手間がかかり、また、構造が単純であるために使用時に不安定であり、安心して使用できないという問題があった。
【０００５】
更に、これらの従来例では、患者等の入浴者は入浴準備、入浴介助時を通し、裸体を介助者や周囲に常時さらすことになるため保温性やプライバシーの保護の点で問題があった。
【０００６】
本発明は、上述のような現状に鑑みなされたもので、患者及び介護者の双方にとって、利便性が高く、安定な構造であると共に、患者等の入浴者の保温やプライバシーの保護に最適な簡易浴槽装置を提供することを目的とする。
【課題を解決するための手段】
【０００７】
添付図面を参照して本発明の要旨を説明する。
【０００８】
排水部５を有する底部３の周縁に、空気を充填することで膨出状態となる周壁部２が設けられた浴槽体６と、この浴槽体６内に配され臥位状態の入浴者15を包み込んで包持し得る大きさにして遮水性を有するシート体８とから成ることを特徴とする簡易浴槽装置に係るものである。
【０００９】
また、請求項１記載の簡易浴槽装置において、前記周壁部２内の空気は、排出可能であり、前記周壁部２は空気充填により膨出し、空気排出により収縮するものであることを特徴とする簡易浴槽装置に係るものである。
【００１０】
また、請求項１，２いずれか1項に記載の簡易浴槽装置において、前記シート体８には、前記浴槽体６の排水部５と連結する排水穴部７が設けられていることを特徴とする簡易浴槽装置に係るものである。
【００１１】
また、請求項１〜３いずれか１項に記載の簡易浴槽装置において、前記シート体８は可撓性を有すると共に遮水性を有する主材の上面に、滑性及び撥水性を有する素材が塗布若しく貼付加工されて滑性撥水面が形成されていることを特徴とする簡易浴槽装置に係るものである。
【００１２】
また、請求項１〜４いずれか１項に記載の簡易浴槽装置において、前記浴槽体６の端部には、臥位状態の入浴者15の頭部若しくは上半身を載置保持する保持部10が設けられていることを特徴とする簡易浴槽装置に係るものである。
【００１３】
また、請求項１〜５いずれか１項に記載の記載の簡易浴槽装置において、前記排水部５は、臥位状態の入浴者15の足側位置に設けられていることを特徴とする簡易浴槽装置に係るものである。
【００１４】
また、請求項１〜６いずれか１項に記載の簡易浴槽装置において、前記周壁部２は、互いに連通した空気充填部２ａが高さ方向に２段以上設けられたものであることを特徴とする簡易浴槽装置に係るものである。
【００１５】
また、請求項１〜７いずれか１項に記載の簡易浴槽装置において、前記空気充填部２ａの内部にはスポンジ状のシート１が配設されていることを特徴とする簡易浴槽装置に係るものである。
【発明の効果】
【００１６】
本発明は上述のように構成したから、患者の生活空間であるベッド上で簡易に浴槽を形成でき、また、遮水性を有するシート体を設けているから、浴槽体は直接、水に触れることはなく、使用後の片付けも容易となり、更に、入浴者の身体を遮水性を有するシート体で包むことができるため、患者等の入浴者の保温やプライバシーの保護に最適となる。
【図面の簡単な説明】
【００１７】
【図１】本実施例に係る簡易浴槽装置の斜視図である。
【図２】本実施例に係る簡易浴槽装置の利用状態を示す説明図である。
【図３】本実施例に係る簡易浴槽装置の断面図である。
【図４】本実施例に係る排水部を分離した状態の排水部の断面説明図である。
【図５】本実施例に係る排水部を形成した状態の排水部の断面説明図である。
【発明を実施するための形態】
【００１８】
好適と考える本発明の実施形態を、図面に基づいて本発明の作用を示して簡単に説明する。
【００１９】
例えば、ベッド16の上に空気未充填の浴槽体６を載置し、浴槽体６の上に遮水性を有するシート体８を広げて、入浴者15を載置してから、浴槽体６の周壁部２に空気を充填して膨出させ、遮水性を有するシート体８で入浴者15を包み込み、温水をシート体８に注ぐ。従って、その場で患者は臥位状態で入浴できることになる。
【００２０】
しかも、浴槽は、浴槽体６と遮水性を有するシート体８の二重構造になるから水漏れなどのおそれは可及的に低減し、安心して使用できる浴槽になる。
【００２１】
また、入浴者15の身体は遮水性を有するシート８で包むことになるから、入浴者15の身体の保温が保たれる共に、入浴者15のプライバシーを保護でき、入浴者15及び介護者の双方にとって利便性が高い簡易浴槽装置となる。
【００２２】
また、遮水性を有するシート体８と浴槽体６とは別個であるから、使用後の片付けが容易にでき、速やかに、臥位状態の入浴者15を元の状態に戻すことができることになる。
【００２３】
この際、浴槽体６は遮水性を有するシート体８で覆われていたため、水の付着は少なく、従来例のように後片付けに手間が掛かったりすることがない。
【実施例】
【００２４】
本発明の具体的な実施例について図面に基づいて説明する。
【００２５】
本実施例は、介護者が臥位、即ち、体を横たえた状態、具体的には、例えば、寝たきり状態の患者（入浴者15）をベッド16の上で入浴させる場合に用いる介護用の簡易浴槽装置17であり、略長円状の浴槽体６と遮水性を有するシート体８とで構成されている。
【００２６】
尚、臥位状態とは、所謂、身体を横に臥した状態のことであり、背臥位（あおむけ）、腹臥位（うつぶせ）、側臥位（右または左によこむき）のいずれか状態をいう。
【００２７】
この簡易浴槽装置17への温水の供給及び使用した温水の排出は別途設けるシャワ栓付き給排水装置（図示せず）により行い、この簡易浴槽装置17の排水部５は排水ホース19を介してこのシャワ栓付き給排水装置と接続される。
【００２８】
具体的には、簡易浴槽装置17は、排水部５を有する底部３の周縁に、空気を充填することで膨出状態となる周壁部２が設けられた浴槽体６と、この浴槽体６内に配され臥位状態の入浴者15を包み込んで包持し得る大きさにして遮水性を有するシート体８とから成る。
【００２９】
従って、この簡易浴槽装置17を用いると、空気を充填せず、収縮状態の浴槽体６を広げ、その上に遮水性を有するシート体８を広げて載置し、このシート体８の上に臥位状態の患者（入浴者15）を載置してから、浴槽体６の周壁部２に空気を充填すると、周壁部２は膨出し、また、遮水性を有するシート体８で患者を包み込み、温水を注ぐことで患者を入浴させることができる。
【００３０】
従って、その場で臥位状態の患者を入浴させることが可能になる。しかも、浴槽が浴槽体６と遮水性を有するシート体８との二重構造になるから、水漏れなどのおそれを可及的に低減でき、安心して使用できる浴槽になる。また、入浴者15の身体を遮水性を有するシート８で包むことができるため、入浴者15の身体の保温を保つと共に、入浴者15のプライバシーを保護でき、入浴者15及び介護者の双方にとって利便性が高い簡易浴槽装置となる。
【００３１】
また、浴槽体６の周壁部２内の空気は、排出可能であり、また、前記周壁部２は、空気充填により膨出し、空気排出により収縮するものである。
【００３２】
従って、使用後、周壁部２の空気を排出すると、速やかに周壁部２が収縮するから、遮水性を有するシート体８と浴槽体６とを分離して容易に片付けができ、臥位状態の患者（入浴者15）を元の状態に戻すことができる。この際、浴槽体６は遮水性を有するシート体８で覆われていたため、水の付着は少なく、従来例のように後片づけに手間が掛かったりすることがない。
【００３３】
また、シート体８には、浴槽体６の排水部５と連結する排水穴部７が設けられている。この排水穴部７は、シート体８の下面所定位置に突設されている。
【００３４】
従って、この排水穴部７を浴槽体６の排水部５に連結すると、浴槽体６に対してシート体８が位置決めされ固定状態となってずれ難くなり、入浴介助が楽になるとともに、この排水穴部７と排水部５とを連通する連通穴９により排水可能となる。
【００３５】
また、シート体８は可撓性を有すると共に遮水性を有する主材の上面に、滑性及び撥水性を有する素材が塗布若しく貼付加工されて滑性撥水面が形成され、この滑性撥水面に入浴者15が接することになる。
【００３６】
従って、入浴者15は位置や体位を容易に変えることができ、また、付着した水を容易に拭き取ることが可能であるため撤収に手間が掛からず、入浴者及び介護者の双方にとって更に利便性のよいものとなる。
【００３７】
詳細には、この遮水性を有するシート体８の主材は、防水性スポンジゴム、更に詳細には、独立気泡発泡スポンジゴムをシート状に形成したものであり、この主材の上面に上述の滑性撥水面を形成し、また、下面にジャージ材が貼付加工されて非滑性面を有するように構成されている。
【００３８】
更に、シート体８は、この上に臥位状態の入浴者15を載置した際、顔を出した状態で入浴者15を包み込める大きさである。
【００３９】
このような大きさにすることで、このシート体８で入浴者15の身体を覆うことができることになるため、保温性を確保でき、また、入浴者15のプライバシーを容易に確保できることになる。
【００４０】
また、このシート体８は、浴槽体６とは別体であるから、交換可能であり、例えば、病院，介護施設などでは、浴槽体６を共用とし、シート体８を患者15毎に別個とすることで、院内感染の予防にもなって衛生的となる。
【００４１】
浴槽体６は、軟質塩化ビニール製のシート素材を用いて、シート状の底部３の周縁に、互いに連通した空気充填部２ａを高さ方向に２段に重ねた周壁部２とを一体に形成したもので、臥位状態の入浴者15が入浴した際の上半身側は幅広く、下半身側はやや幅狭い長円状に形成されている。
【００４２】
また、この浴槽体６の端部には、臥位状態の入浴者15の頭部若しくは上半身を載置保持する保持部10が設けられている。具体的には、この保持部10は、上半身が載置されるシート状のもので、この保持部10で入浴者15の頭や上半身を支えることができるため、楽な姿勢でしかも安全な状態で入浴でき、また、入浴介助を受けることができる。
【００４３】
また、この浴槽体６の入浴者15の足側となる周壁部２に、空気充填部２ａに空気を吸入排気する吸排気部４が設けられている。
【００４４】
本実施例の浴槽体６の周壁部２は、互いに連通した空気充填部２ａが高さ方向に２段設けた構成であり、この二段の空気充填部２ａの夫々は複数箇所に設けた連通孔18によって連通されている。
【００４５】
また、周壁部２の厚みは、浴槽の外側で介護する介護者が入浴者15に可及的に近づけるよう幅狭にすることが望ましい。
【００４６】
また、空気充填部２ａの内壁には、スポンジ状のシート１が配設されている。吸排気部４から空気充填部２ａ内の空気を抜く際、このスポンジ状のシート１の微細孔を通して空気充填部２ａ内の空気が速やかに排出されるため、空気充填部２ａ内に局所的な空気溜まりが生ずることがなく、よって、周壁部２を速やかに収縮させることができ、浴槽体６の片付けが速やかに行えることになる。
【００４７】
スポンジ状のシート１は、上下に２段設けられた空気充填部２ａの夫々の内面に連通孔18から離れた位置に貼り付け、空気を抜いた時、夫々の空気充填部２ａに局所的な空気溜まりが生ずるのを防止している。
【００４８】
また、浴槽体６の底部３は最下段の空気充填部２ａの中程間に架設されている。これは、周壁部２内側の凹凸を可及的に減らすためである。
【００４９】
また、浴槽体６の排水部５及びシート体８の排水穴部７は、臥位状態の患者15の足元部位置側に設けたから、入浴者15の邪魔にならず、また入浴時の排水は入浴者15の足元でなされるから排水に伴う不快感を可及的に低減できることになる。
【００５０】
また、浴槽体６の底部３に設けられる排水部５は、底部３のシートの外側に、排水ホース19を接続するＬ字状に折曲した排水導出部20を設け、また、底部３のシートの内側に、シート体８の排水穴部７と嵌合されて排水を行う軟質塩化ビニール製の被嵌合部21を設けた構成であり、また、シート体８の排水穴部７は、このシート体８の裏側となるジャージ生地側に軟質塩化ビニール製の嵌合部22を突設し、シート体８の嵌合部22を、浴槽体６の被嵌合部21に着脱自在に凹凸嵌合して、被嵌合部21と嵌合部22とを連通する連通穴９を形成する構成である。
【００５１】
従って、浴槽体６の内側にシート体８によって形成された浴槽に、例えば温水を注いでも温水が浴槽体６内に漏れることを低減できことになる。即ち、この浴槽はシート体８と浴槽体６とで二重構造となり、水漏れを可及的に低減できる安全な構造になり、更に、このシート体８は交換可能であるから衛生を保つのも容易になる。
【００５２】
以上、本実施例によって、空気充填部２ａに空気を吸排気し、遮水性を有するシート体８を着脱するだけで臥位状態の入浴者15（患者）をその場で入浴させることができ、また、撤収できるため、寝たきりの患者及び介護者の双方にとって利便性が高く、安定な構造の簡易浴槽装置17となり、更に、遮水性を有するシート体８で患者の身体を覆えるため保温性や、プライバシーを保てることになり、患者、介護者の双方にとって安心安全で、介助しやすく、また扱いやすいコンパクトで衛生的な簡易浴槽装置となる。
【００５３】
以上のように構成した簡易浴槽装置17を用いて、ベッド16に臥位状態にある患者を入浴させる手順の一例を示す。但し、温水の供給設備及び排水設備は別途設けられているものとして説明する。
【００５４】
（１）準備
【００５５】
（ア）浴槽体６の排水部５にシート体８の排水穴部７を嵌合する。
【００５６】
（イ）浴槽体６とシート体８とを重ね、ベッド16の長手方向にロール状に丸める。
【００５７】
（２）使用
【００５８】
（ア）寝たきり状態の患者を横向きにさせ、シーツを交換する要領でロール状に丸め
た状態の浴槽体６とシート体８とをベッド上で開いて、排水部５に排水ホース
19を接続する。
【００５９】
（イ）患者をシート体８上に移動する。
【００６０】
（ウ）患者を脱衣させ、シート体８を患者の体に巻く。
【００６１】
（エ）浴槽体６の吸排気部４から空気を入れ、空気充填部２ａを膨らませ、周壁部２
を形成する。
【００６２】
（オ）シート体８内に温水を注ぎ入浴させる。
【００６３】
（カ）シート体８を開き、患者の身体を洗浄する。
【００６４】
（キ）シート体８を閉じ、排水ホースから排水する。
【００６５】
（ク）シート体８内の残水がないことを確認し、浴槽体６の吸排気部４から強制排気
する。
【００６６】
（ケ）身体及びシート体８に付着した水をタオルで拭き取り、患者の着替えをさせる
。
【００６７】
（コ）排水ホース19を外し、シーツを交換する要領で浴槽体６とシート体８とをベッ
ドから撤去する。
【００６８】
この簡易浴槽装置17を用いた入浴介助方法の特徴は、
（ア）患者を移動することなく入浴が可能であり、また、身体的、精神的な負担が少
ない。
【００６９】
（イ）患者を移動する必要がないため、介護者の身体的負担が少ない。
【００７０】
（ウ）シート体８によって、消費する湯量が少なくでき経済的である。
【００７１】
（エ）シート体８によって浴槽体６内部に水が漏れないので、乾燥させる必要がなく
、カビの発生がない。
【００７２】
（オ）シート体８から水が漏れても、浴槽体６から水が漏れないので、ベッド16を濡
らすことがない。
【００７３】
（カ）患者毎に専用のシート体８を用いることで、院内感染の予防になる。
【００７４】
（キ）浴槽体６は共用することができる。
【００７５】
（ク）シート体８は発泡ゴム性であるため保温効果が高い。また、身体に巻きつけて
湯をいれることで、サウナ効果で全身を温められる。
【００７６】
（ケ）シート体８を体に巻きつけることで、患者のプライバシーが守られる。
【００７７】
（コ）シート体８内面の撥水効果によって、容易に残水を拭き取ることができ、短時
間で表面が乾燥する。
【００７８】
（サ）浴槽体６の空気充填部２ａにはスポンジ状シートが貼り付けられることで、空
気溜まりを速やかになくせるため、折り畳み易く、片付けが容易で取り扱い易
い。
【符号の説明】
【００７９】
１  シート
２  周壁部
２ａ  空気充填部
３  底部
５  排水部
６  浴槽体
７  排水穴部
８  シート体
１０  保持部
【図１】
2012010982.tif 000003
【図２】
2012010982.tif 000004
【図３】
2012010982.tif 000005
【図４】
2012010982.tif 000006
【図５】
2012010982.tif 000007